(57)【要約】【目的】  子亀が上陸する浮島本体の水槽内への取り付け、取り外し操作が簡単であり、浮島本体の清掃などのメンテナンスを容易に行うことができ、子亀の飼育、育成に有効な浮島の水槽への取付構造を提供する。【構成】  浮島本体１０と、この浮島本体１０を水槽Ｖの内壁面に吸盤２２により吸着固定される取付主体２０とよりなり、取付主体２０に設けた一対の差込溝２１ａに、浮島本体１０の一対の支持脚１２ａを抜き差し自在に差し込んで、浮島本体１０を水槽Ｖに取り付け、取り外し可能に取り付ける。【選択図】      図４
2014200230.tif 000002
【特許請求の範囲】
【請求項１】
浮島本体（１０）と、この浮島本体（１０）を水槽（Ｖ）内に取り付け、取り外し可能に取り付ける取付主体（２０）とを備え、
前記浮島本体（１０）は、板状の浮島部分（１１）と、この浮島部分（１１）の基端より下向きに一体に延びる取付部分（１２）とよりなり、前記取付部分（１２）は、横方向に間隔をあけて上下方向に互いに平行に延びる一対の可動支持部（１２ａ）を有し、
前記取付主体（２０）は、板状の取付板（２１）と、この取付板（２１）に取り付けられる吸盤（２２）とよりなり、前記取付板（２１）は、横方向に間隔をあけて上下方向に互いに平行に延びる一対の固定支持部（２１ａ）を有し、
水槽（Ｖ）の内壁面に前記吸盤（２２）により吸着固定される前記取付主体（２０）の、前記一対の固定支持部（２１ａ）に、前記浮島本体（１０）の前記一対の可動支持部（１２ａ）を抜き差し自在に差し込んで、前記浮島本体（１０）は、前記取付主体（２０）に取り付けられることを特徴とする、浮島の水槽への取付構造。
【請求項２】
前記浮島本体（１０）の浮島部分（１１）は、傾斜面（１１ａ，１１ｃ）と平坦面（１１ｂ，１１ｄ）とを有して上下方向に段状に屈曲形成されていることを特徴とする、前記請求項１記載の浮島の水槽への取付構造。
【請求項３】
前記浮島本体（１０）の取付部分（１２）の、一対の可動支持部（１２ａ）間には、支持板（１２ｂ）が一体に設けられ、この支持板（１２ｂ）は、前記取付板（２１）の一対の固定支持部（２１ａ）間の中間部（２１ｂ）にスライド係合されることを特徴とする、前記請求項１または２記載の浮島の水槽への取付構造。
【請求項４】
前記浮島本体（１０）の取付部分（１２）の左右両端部には位置規制板（１２ｄ）が形成され、その位置規制板（１２ｄ）の下縁（１２ｅ）は、取付主体（２０）の取付板（２１）の上縁（２１ｃ）に衝合されることを特徴とする、前記請求項１、２または３に記載の浮島の水槽への取付構造。
【請求項５】
前記浮島本体（１０）の板状の浮島部分（１１）の左右側面は開放（１４）されていることを特徴とする、前記請求項１、２、３または４に記載の浮島の水槽への取付構造。
【発明の詳細な説明】
【技術分野】
【０００１】
本発明は、水槽内に安定よく支持され、しかも水槽内への取り付け、取り外しが簡単容易な、浮島（亀の島）の水槽への取付構造に関する。
【背景技術】
【０００２】
近年、水槽内で、緑亀などの子亀を飼育、育成してその生態や動作を観賞して楽しもうとする子亀愛好者が多くなっている。
【０００３】
そこで、水槽（Ｂ）内に吸盤（３）により支柱部材（２）を立設保持し、その支柱部材（２）により、子亀が上陸できる浮島本体（１）を上下にスライド可能に設けた水槽用浮島が従来から知られている（後記特許文献１参照）。
【０００４】
ところで、緑亀などの子亀は、水中または陸上に棲むことから、頻繁に浮島（亀の島）に上陸し、また水中に戻る動作を繰り返すので、浮島は、子亀が動作し易いようにするため、浮島を水槽に安定して支持させて子亀が行動し易くすること、浮島の取り付け、取り外しをし易くして清掃などのメンテナンスを容易にし、浮島が塵埃、糞、残餌などの汚物の付着で見にくくならないようにすると共に常に清潔にしておくことが要求され、
さらに、水槽の外から子亀の動作や生態をより細かく、鮮明に観察して楽しめるようにするため、子亀が、浮島の上面やその周囲、またはその下を潜り抜けて自由に動けるようにしてその行動範囲を広げられるようにすることなどが要求されるが、前記従来の浮島では、前記要求を満足させるには不充分であった。
【先行技術文献】
【特許文献】
【０００５】
【特許文献１】特開平９−１７２９０４号公報
【発明の概要】
【発明が解決しようとする課題】
【０００６】
本発明はかかる実情に鑑みてなされたもので、前記要求を満たすことができるようにした、新規な浮島の水槽への取付構造を提供することを目的とする。
【課題を解決するための手段】
【０００７】
前記目的達成のため、請求項１記載の発明は、浮島本体と、この浮島本体を水槽内に取り付け、取り外し可能に取り付ける取付主体とを備え、
前記浮島本体は、板状の浮島部分と、この浮島部分の基端より下向きに一体に延びる取付部分とよりなり、前記取付部分は、横方向に間隔をあけて上下方向に互いに平行に延びる一対の可動支持部を有し、
前記取付主体は、板状の取付板と、この取付板に取り付けられる吸盤とよりなり、前記取付板は、横方向に間隔をあけて上下方向に互いに平行に延びる一対の固定支持部を有し、
水槽の内壁面に前記吸盤により吸着固定される前記取付主体の、前記一対の固定支持部に、前記浮島本体の前記一対の可動支持部を抜き差し自在に差し込んで、前記浮島本体は、前記取付主体に取り付けられることを特徴としている。
【０００８】
前記目的達成のため、請求項２記載の発明は、前記請求項１に記載のものにおいて、前記浮島本体の浮島部分は、傾斜面と平坦面とを有して上下方向に段状に屈曲形成されていることを特徴としている。
【０００９】
前記目的達成のため、請求項３記載の発明は、前記請求項１または２に記載のものにおいて、浮島本体の取付部分の、一対の可動支持部間には、支持板が一体に設けられ、この支持板は、前記取付板の一対に固定支持部間の中間部にスライド係合されることを特徴としている。
【００１０】
前記目的達成のため、請求項４記載の発明は、前記請求項１、２または３に記載のものにおいて、前記浮島本体の取付部分の左右両端部には位置規制板が形成され、その位置規制板の下縁は、取付主体の取付板の上縁に衝合されることを特徴としている。
【００１１】
前記目的達成のため、請求項５記載の発明は、前記請求項１、２、３または４に記載のものにおいて、前記浮島本体の板状の浮島部分の左右側面は開放されていることを特徴としている。
【発明の効果】
【００１２】
請求項１項に記載の発明によれば、子亀が上陸する浮島本体の可動支持部を、水槽内に取り付けた取付主体の固定支持部に差し込み、抜き取り操作するだけで、浮島本体を水槽内に安定して取り付けることができると共に取り付け、取り外し操作がし易く、子亀の飼育、育成にきわめて有効であり、また浮島本体の清掃などのメンテナンスを簡単、容易に行うことができる。
【００１３】
請求項２項に記載の発明によれば、浮島本体の浮島部分は、傾斜面と平坦面とを有して上下方向に段状に屈曲形成されているので、浮島本体を補強することができ、また浮島部分の傾斜面および平坦面上を移動する子亀の動作を一層楽しむことができる。
【００１４】
請求項３項に記載の発明によれば、浮島本体の取付部分の、一対の可動支持部間には、支持板が一体に設けられ、この支持板は、前記取付板の一対の固定支持部間の中間部にスライド係合されるので、浮島本体の取付主体への取り付け操作が容易となり、また、浮島本体の支持強度が高められる。
【００１５】
請求項４項に記載の発明によれば、浮島本体の取付部分の左右両端部には位置規制板が形成され、その位置規制板の下縁は、取付主体の取付板の上縁に衝合されるので、浮島本体の上下位置を規制して、浮島本体の水槽内の所定位置に容易にセットすることができ、また、浮島本体の支持剛性が高められる。
【００１６】
請求項５項に記載の発明によれば、浮島本体の板状の浮島部分の左右側面は開放されているので、子亀は、浮島本体の下のトンネルを潜り抜けて、その左右外方に移動することができ、子亀の行動範囲が広くなり、その動作を一層楽しむことができる。
【図面の簡単な説明】
【００１７】
【図１】浮島を取り付けた水槽の斜視図
【図２】浮島の分解斜視図
【図３】図２の３矢視図
【図４】図１の４−４線に沿う拡大断面図
【発明を実施するための形態】
【００１８】
図１〜４を参照して、本発明浮島の水槽への取付構造の実施の形態について説明する。
【００１９】
水槽Ｖ内に取り付けられる浮島１は、子亀Ｔが上陸する浮島本体１０と、この浮島本体１０を水槽Ｖの内面適所に取り付け、取り外し可能に取り付ける取付主体２０とより構成される。
【００２０】
前記浮島本体１０は、硬質の合成樹脂材により構成され、子亀Ｔが上陸する板状の浮島部分１１と、この浮島部分１１の基端より下向きに一体に延びる取付部分１２とが形成されている。前記浮島部分１１は、平面視で四角形状、側面視で上下方向に段状に屈曲形成され、その上面に複数条の突起よりなる滑り止め１３が形成されている。前記浮島部分１１は、その先端側（自由端側）より基端側に向かって、上り勾配に傾斜する第１傾斜面１１ａと、略水平な第１平坦面１１ｂと、第１傾斜面１１ａと同方向でそれよりも短く急峻に傾斜する第２傾斜面１１ｃと、略水平な第２平坦面１１ｄとが連続して上下方向に段状に形成されている。また、浮島本体１０の左右両側は開放１４されており、後に述べるように、それらの開放１４を通して子亀Ｔが、浮島部分１１の直下に形成されるトンネルと、その左右外側方との間を自由に行き来することができるようにされる。
【００２１】
浮島本体１０の左右両側縁および基端縁はリブ１５により縁取り補強されて、その変形を防止するようにしている。
【００２２】
前記浮島本体１０の基端には、前記取付部分１２が一体に設けられる。この取付部分１２は、浮島本体１０の基端上縁から略直角に下向きに一体に延びていて、浮島本体１０の基端の左右方向の中間部から互いに平行に上下方向に延びる、一対の可動支持部、すなわち一対の支持脚１２ａ，１２ａと、それらの支持脚１２ａ，１２ａ間を継ぐ支持板１２ｂと、浮島本体１０の左右側縁のコーナ支持脚１２ｃ，１２ｃと  そのコーナ支持脚１２ｃ，１２ｃと一対の支持脚１２ａ，１２ａとをそれぞれ継ぐ、左右の上下位置規制板１２ｄ，１２ｄとを備えている。そして、前記支持脚１２ａ，１２ａは、前記コーナ支持脚１２ｃ，１２ｃよりも下方に長く延長されており、また前記支持板１２ｂは、左右の上下位置規制板１２ｄ，１２ｄよりも下方に長く延長されている。
【００２３】
前記浮島本体１０を、水槽Ｖに取脱自在に取り付ける取付主体２０は、前記浮島本体１０と同じく硬質の合成樹脂材により形成される、取付板２１と、この取付板２１に着脱可能に取付けられる一対の吸盤２２，２２とよりなる。前記取付板２１は、横長の矩形状に形成され、その横方向の長さは、前記浮島本体１０の横幅と略等しい。取付板２１の長手方向の中間部には、左右方向に間隔をあけて横断面凹状の一対の固定支持部、すなわち一対の差込溝２１ａ，２１ａが互いに平行に上下方向に形成されており、一対の差込溝２１ａ，２１ａの間隔は、前記支持脚１２ａ，１２ａ間の間隔と等しくされていて、それらの差込溝２１ａ，２１ａ内に支持脚１２ａ，１２ａを抜き差し自在に差し込み嵌合可能とされている。また支持板２１の前記一対の差込溝２１ａ，２１ａ間の中間部２１ｂの外面は、平坦面に形成されていて、前記浮島本体１０の支持板１２ｂにスライド可能に係合するようにされている。さらに、前記取付板２１の、前記差込溝２１ａ，２１ａよりも外側の左右両端部には、吸盤２２，２２を着脱自在に取り付けるための吸盤取付孔２３，２３が開口されている。
【００２４】
前記取付板２１の上縁２１ｃは、前記浮島本体１０の上下位置左右規制板１２ｄ，１２ｄの下縁１２ｅ，１２ｅと衝合可能な、平坦な衝合面とされている。
【００２５】
つぎに、前記浮島本体１０と取付主体２０とよりなる浮島１を、水槽Ｖ内に取り付ける手順について説明する。
【００２６】
(1) 取付板２１に一対の吸盤２２，２２を取り付けた取付主体２０を、一対の差込溝２１ａ，２１ａの開口側を水槽Ｖの内壁面に対向させて水槽内Ｖ内に入れ、一対の吸盤２２，２２を、水槽Ｖの内壁面の適所に吸着させる。この場合、図４に示すように、吸盤２２，２２は、水槽Ｖ内の貯留水の水中内に没するようにして吸盤２２，２２の水槽Ｖの内壁面への吸着力を強固なものとする（吸盤２２，２２の一部が空気中に露出していると、吸盤２２，２２と水槽Ｖの内壁面間に経時的に次第に空気が入り吸着力が低下する）。
【００２７】
(2) つぎに、浮島本体１０を水槽Ｖ内に入れ、一対の支持脚１２ａ，１２ａを差込溝２１ａ，２１ａ内にそれぞれ差し込み嵌合する。この時、支持脚１２ａ，１２ａ間の支持板１２ｂは、取付主体２０の取付板２１の中間部２１ｂにスライド係合して、浮島本体１０の取付主体２０による支持強度が高められる。また、取付部分１２の左右上下位置規制板１２ｄ，１２ｄの下縁１２ｅ，１２ｅが、取付主体２０の上縁２１ｃ，２１ｃに衝合して浮島本体１０の上下位置が規制されると共にこれによっても浮島本体１０の取付主体２０による支持強度が高められ、取付主体２０の片持ち支持される浮島本体１０の変形、撓みを防止する。
【００２８】
ところで、図４に示すように、取付主体２０は、その吸盤２２，２２が、水槽Ｖ内の貯留水内に浸るように、水槽Ｖの内壁面に吸着固定し、浮島本体１０は、その上半部が、水面上に位置し、またその下半部が水中に没するように、取付主体２０に取り付けるようにする。
【００２９】
浮島本体１０の浮島部分１１は、第１傾斜面１１ａ、第１平坦面１１ｂ、第２傾斜面（第１の傾斜面１１ａよりも急で、短い）および第２平坦面１１ｄよりなるので、水槽Ｖ内の子亀Ｔは、様々な態様、動作で、浮島部分１１に上陸したり、水中に戻ったり、また、浮島本体１０は、その左右側面が開放１４されているので、子亀Ｔは、浮島本体１０の直下に形成されるトンネルを自由に潜り抜けて行き来することができて、子亀Ｔの行動範囲を広げることができ、子亀Ｔの観察者にとって、一層興味深くなる。
【００３０】
また、浮島本体１０は、その一対の支持脚１２ａ、１２ａを、水槽Ｖ内の内壁面に固定した取付主体２０の一対の差込溝２１ａ、２１ａに差し込み操作するだけで、水槽Ｖ内にセットすることができ、また、一対の支持脚１２ａ、１２ａを、一対の差込溝２１ａ，２１ａから抜き取り操作するだけで、取付主体２０から分離することができるので、浮島本体１０の水槽Ｖへの取り付け、取り外しがきわめて簡単、容易となり、子亀Ｔの水槽Ｖ内での飼育、育成にきわめて有効であり、また浮島本体１０が、塵埃、糞、残餌などで汚損されても、浮島本体１０の清掃などのメンテナンスを簡単容易に行なうことができる。
【００３１】
以上、本発明の実施の形態について説明したが、本発明はそれに限定されることなく、本発明の範囲内で種々の実施の形態が可能である。
【００３２】
たとえば、前記の実施形態では、浮島本体１０の取付部分１２に、可動支持部として支持脚を設け、取付主体２０の取付板２１に固定支持部２１ａとして差込溝を設けているが、浮島本体１０の取付部分１２に、可動支持部として差込溝を設け、取付主体２０の取付板２１に固定支持部２１ａとして支持脚を設けるようにしてもよい。
【符号の説明】
【００３３】
１０・・・・・・浮島本体
１１・・・・・・浮島部分
１１ａ・・・・・傾斜面（第１傾斜面）
１１ｂ・・・・・平坦面（第１平坦面）
１１ｃ・・・・・傾斜面（第２傾斜面）
１１ｄ・・・・・平坦面（第２平坦面）
１２・・・・・・取付部分
１２ａ・・・・・可動支持部（支持脚）
１２ｂ・・・・・支持板
１２ｄ・・・・・位置規制板
１２ｅ・・・・・下縁
１４・・・・・・開放
２０・・・・・・取付主体
２１・・・・・・取付板
２１ａ・・・・・固定支持部（差込溝）
２１ｂ・・・・・中間部
２１ｃ・・・・・上縁
２２・・・・・・吸盤
【図１】
2014200230.tif 000003
【図２】
2014200230.tif 000004
【図３】
2014200230.tif 000005
【図４】
2014200230.tif 000006